(57)【要約】      （修正有）【課題】暗所や逆光での写真撮影において、発光手段を備えなくても、撮像に適した光量を被写体に与えることができる、情報処理装置、撮像方法及びプログラムを提供する。【解決手段】携帯電話端末１は、筐体の正面に、画面に画像を表示するタッチパネル及び携帯電話端末を持つ被写体自身を撮像する第１カメラを備える。画面発光モードでは、第１カメラによって被写体を撮像する場合に画面の領域を、第１カメラによって撮像された被写体を表示する撮像画像表示領域２０及び被写体を照らす照明領域２１（２１Ａ〜２１Ｄ）に分けて、照明領域の明るさで被写体を照らして、撮影する。被写体の明度が低い程、多くの照明領域が発光する。【選択図】図６
2017130887.tif 000002
【特許請求の範囲】
【請求項１】
画面に画像を表示する画像表示手段と、
被写体を撮像する撮像手段と、
前記撮像手段によって前記被写体を撮像する場合に前記画面の領域を、前記撮像手段によって撮像された前記被写体を表示する撮像画像表示領域、及び前記被写体を照らす照明領域に分ける制御手段と、
を備える情報処理装置。
【請求項２】
前記照明領域は、前記撮像画像表示領域の周辺領域である請求項１記載の情報処理装置。
【請求項３】
前記制御手段は、前記照明領域が発する光量を制御する請求項１又は請求項２記載の情報処理装置。
【請求項４】
前記制御手段は、前記照明領域の範囲を増減させることで、前記照明領域が発する光量を制御する請求項３記載の情報処理装置。
【請求項５】
前記制御手段は、前記撮像手段によって撮像された前記被写体の明るさが所定値以下の場合に、前記照明領域が発する光量を制御する請求項３又は請求項４記載の情報処理装置。
【請求項６】
前記画像表示手段は、有機ＥＬディスプレイであり、
前記制御手段は、前記照明領域に対応する有機ＥＬの輝度を制御する請求項３から請求項５の何れか１項記載の情報処理装置。
【請求項７】
前記画像表示手段は、液晶ディスプレイであり、
前記制御手段は、前記照明領域に対応するバックライトの輝度を制御する請求項３から請求項５の何れか１項記載の情報処理装置。
【請求項８】
前記制御手段は、前記照明領域の発光色を制御する請求項１から請求項３の何れか１項記載の情報処理装置。
【請求項９】
前記照明領域は、複数に分割され、
前記制御手段は、分割された前記照明領域毎に発光色を制御する請求項８記載の情報処理装置。
【請求項１０】
前記制御手段は、ユーザの設定に基づいて前記照明領域の発光色を制御する請求項８又は請求項９記載の情報処理装置。
【請求項１１】
画面に画像を表示する画像表示手段、及び被写体を撮像する撮像手段を備えた情報処理装置の撮像方法であって、
前記撮像手段によって前記被写体を撮像する場合に前記画面の領域を、前記撮像手段によって撮像された前記被写体を表示する撮像画像表示領域、及び前記被写体を照らす照明領域に分ける撮像方法。
【請求項１２】
画面に画像を表示する画像表示手段、及び被写体を撮像する撮像手段を備えるコンピュータを、
前記撮像手段によって前記被写体を撮像する場合に前記画面の領域を、前記撮像手段によって撮像された前記被写体を表示する撮像画像表示領域、及び前記被写体を照らす照明領域に分ける制御手段として機能させるプログラム。
【発明の詳細な説明】
【技術分野】
【０００１】
本発明は、情報処理装置、撮像方法、及びプログラムに関するものである。
【背景技術】
【０００２】
近年、所謂スマートフォンと呼ばれるような携帯電話端末やタブレット型パーソナルコンピュータ等の携帯型の情報処理装置（以下「携帯型情報装置」）が普及している。
【０００３】
携帯型情報装置の多くには、カメラが備えられており、特許文献１に開示されているように、ディスプレイと同一面上、すなわち携帯型情報装置の正面にもカメラが備えられ、被写体を撮像（撮影ともいう。）可能なものも普及している。携帯型情報装置の正面に備えられているカメラは、主に、ユーザ自身を被写体として撮像（以下「自撮り」という。）するために用いられる。この自撮りは、写真撮影（静止画撮影）又は動画撮影の何れでも行われる。
【先行技術文献】
【特許文献】
【０００４】
【特許文献１】特開２０１４−７８８７７号公報
【発明の概要】
【発明が解決しようとする課題】
【０００５】
ここで、暗所や逆光での写真撮影のように、被写体及び被写体周辺の光量が不足している場合、画像処理によって補正を行ったり、補正では不十分な場合には、発光手段であるライトを瞬間的に点灯させるフラッシュ撮影が行われる。
しかしながら、ライトが正面側に備えられている携帯型情報装置は一般的ではない。このため、自撮り等を行う場合、フラッシュ撮影を行えないために被写体の明るさが不足し、例えばユーザ自身が暗く撮像されることがある。
【０００６】
本発明は、このような事情に鑑みてなされたものであって、発光手段を備えなくても、撮像に適した光量を被写体に与えることができる、情報処理装置、撮像方法、及びプログラムを提供することを目的とする。
【課題を解決するための手段】
【０００７】
上記課題を解決するために、本発明の情報処理装置、撮像方法、及びプログラムは以下の手段を採用する。
【０００８】
本発明の第一態様に係る情報処理装置は、画面に画像を表示する画像表示手段と、被写体を撮像する撮像手段と、前記撮像手段によって前記被写体を撮像する場合に前記画面の領域を、前記撮像手段によって撮像された前記被写体を表示する撮像画像表示領域、及び前記被写体を照らす照明領域に分ける制御手段と、を備える。
【０００９】
本発明の第二態様に係る撮像方法は、画面に画像を表示する画像表示手段、及び被写体を撮像する撮像手段を備えた情報処理装置の撮像方法であって、前記撮像手段によって前記被写体を撮像する場合に前記画面の領域を、前記撮像手段によって撮像された前記被写体を表示する撮像画像表示領域、及び前記被写体を照らす照明領域に分ける。
【００１０】
本発明の第三態様に係るプログラムは、画面に画像を表示する画像表示手段、及び被写体を撮像する撮像手段を備えるコンピュータを、前記撮像手段によって前記被写体を撮像する場合に前記画面の領域を、前記撮像手段によって撮像された前記被写体を表示する撮像画像表示領域、及び前記被写体を照らす照明領域に分ける制御手段として機能させる。
【発明の効果】
【００１１】
本発明によれば、発光手段を備えなくても、撮像に適した光量を被写体に与えることができる、という効果を有する。
【図面の簡単な説明】
【００１２】
【図１】本発明の第１実施形態に係る携帯電話端末の正面図である。
【図２】本発明の第１実施形態に係る携帯電話端末の背面図である。
【図３】本発明の第１実施形態に係る携帯電話端末の電気的構成を示す機能ブロック図である。
【図４】光量不足での自撮りの例を示す図である。
【図５】本発明の第１実施形態に係る画面発光モードが機能している場合における携帯電話端末の正面図である。
【図６】本発明の第１実施形態に係る照明領域の範囲の増減の例を示した図である。
【図７】本発明の第１実施形態に係る画面発光モードに関する機能ブロック図である。
【図８】本発明の第１実施形態に係る照明領域増減処理の流れを示すフローチャートである。
【図９】本発明の第１実施形態に係る色調調整モードが機能している場合における携帯電話端末の正面図である。
【図１０】本発明の第２実施形態に係る携帯電話端末の電気的構成を示す機能ブロック図である。
【図１１】本発明の第２実施形態に係るバックライトの分割例である。
【発明を実施するための形態】
【００１３】
以下に、本発明に係る情報処理装置、撮像方法、及びプログラムの一実施形態について、図面を参照して説明する。
【００１４】
〔第１実施形態〕
以下、本発明の第１実施形態について説明する。
【００１５】
図１は、本実施形態に係る携帯電話端末１の正面図である。図２は、携帯電話端末１の背面図である。
【００１６】
携帯電話端末１は、略六面体形状の筐体２を備えている。
筐体２の表面のうち一方側の面を正面２Ａ、正面２Ａに対向する他方側の面を背面２Ｂとする。
【００１７】
携帯電話端末１は、筐体２の正面２Ａに、画面に画像を表示するタッチパネル３、音が入力されるマイク５、被写体を撮像する第１カメラ６Ａ、及び音を出力するスピーカ７が配置されている。
タッチパネル３は、正面２Ａの中央の略全域に亘って配置されている。マイク５は、正面２Ａの長手方向の一方の端部に配置されている。第１カメラ６Ａ及びスピーカ７は、正面２Ａの長手方向の他方の端部に配置されている。
【００１８】
また、携帯電話端末１は、筐体２の背面２Ｂの長手方向の一方の端部に、被写体を撮像する第２カメラ６Ｂ及び発光手段であるライト８が配置されている。ライト８は、例えばＬＥＤ（Light Emitting Diode）であり、暗所を照らす場合のみならず、第２カメラ６Ｂを用いた被写体のフラッシュ撮影を行う場合に高輝度で瞬間的に発光するフラッシュライトとしても機能する。
【００１９】
このような構成により、第１カメラ６Ａで正面２Ａ側から撮影（自分撮りを含む）が可能であり、第２カメラ６Ｂで背面２Ｂ側から撮影が可能となっている。
【００２０】
なお、タッチパネル３は、文字、図形、及び第１カメラ６Ａ又は第２カメラ６Ｂで撮像した被写体等の画像を表示すると共に、指、スタイラス、ペン等の指示体を用いて行われる各種操作を検出する。
【００２１】
さらに、携帯電話端末１は、筐体２の側面に、電源ボタンやボリューム調整ボタン等の操作部４（図３参照）が配置されている。
【００２２】
図３は、携帯電話端末１の電気的構成を示す機能ブロック図である。
携帯電話端末１は、上記構成に加え、制御部１０、メモリ１１、記憶部１２、通信部１３、カメラ処理部１５、グラフィクスアダプタ１６、及び入力コントローラ１７を備えている。
【００２３】
制御部１０は、例えば、ＣＰＵ（Central  Processing  Unit）、マイクロプロセッサ、ＤＳＰ（Digital  Signal  Processor）等であり、携帯電話端末１の動作を統括的に制御して各種の機能（モード）を実現する。具体的には、制御部１０は、記憶部１２に記憶されているデータやメモリ１１に展開したデータを必要に応じて参照しつつ、記憶部１２に記憶されているプログラムに含まれる命令を実行して、タッチパネル３、通信部１３，カメラ処理部１５等を制御することによって各種機能（モード）を実現する。なお、制御部１０が実行するプログラムや参照するデータは、通信部１３による無線通信でサーバ装置からダウンロードすることとしてもよい。また、制御部１０は、利用者の操作に対応する指示信号が操作部４から入力される。
【００２４】
メモリ１１は、例えば、ＲＡＭ（Random  Access  Memory）やＤＲＡＭ（Dynamic  Random  Access  Memory）等で構成されており、制御部１０によって実行されるプログラム、制御部１０が参照するデータ、制御部１０の演算結果等が一時的に記憶されるワークエリアとして使用される。
【００２５】
記憶部１２は、例えば、不揮発性メモリや磁気記憶装置であり、制御部１０での処理に利用されるプログラムやデータを保存する。記憶部１２に記憶されるプログラムには、携帯電話端末１の基本的な機能を実現するＯＳ（Operation  System）、デバイスをハードウェア制御するためのデバイス・ドライバ、電子メール機能を実現するための機能を提供するメールプログラム、ＷＥＢブラウジング機能を実現するための機能を提供するブラウザプログラム等が含まれる。
【００２６】
通信部１３は、基地局によって割り当てられるチャネルを介し、基地局との間で無線信号回線を確立し、基地局との間で電話通信及び情報通信を行う。スピーカ７は、制御部１０から送信される音声信号を音声として出力する。マイク５は、利用者等の音声を音声信号へ変換して制御部１０へ出力する。
【００２７】
電源部１４は、制御部１０の制御に従って、蓄電池またはＡＣアダプタから得られる電力を、制御部１０を含む携帯電話端末１の各機部へ供給する。
【００２８】
第１カメラ６Ａ及び第２カメラ６Ｂは、それぞれレンズ及び撮像部等を備えている。レンズは、被写体光を結像する。撮像部は、ＣＣＤ（Charge  Coupled  Device）やＣＭＯＳ（Complementary  Metal-Oxide  Semiconductor）等の撮像素子、およびＲＧＢ（Read  Green  Brue）カラーフィルタ等を備えており、レンズで撮像された被写体光をＲ，Ｇ，Ｂの画像信号としてカメラ処理部１５に出力する。
【００２９】
カメラ処理部１５は、ＡＥ（Automatic  Exposure）機能やＡＷＢ（Auto  White  Balance）機能等を有しており、Ａ／Ｄ（Analog/Digital）変換器、画像処理用ＬＳＩ（Large-Scale  Integration）、メモリ等を備え、撮像素子の駆動タイミングや露出制御等を行うと共に、第１カメラ６Ａ又は第２カメラ６Ｂで得られたＲＧＢの画像信号に対して各種信号処理を行う。具体的には、カメラ処理部１５は、制御部１０により設定される色特性パラメータに従って、ＲＧＢの画像信号に対して色特性調整処理を行う。例えば、カメラ処理部１５は、制御部１０により設定されるホワイトバランス調整パラメータに従って、ＲＧＢの画像信号に対してホワイトバランス調整を行う。
【００３０】
タッチパネル３は、有機ＥＬ（Organic  Electro−Luminescence）ディスプレイ３Ａ及びタッチセンサ３Ｂを備える。
【００３１】
有機ＥＬディスプレイ３Ａは、入力されるビデオ信号を画像として表示する。
【００３２】
タッチセンサ３Ｂは、例えば、静電容量方式のタッチセンサであり、有機ＥＬディスプレイ３Ａに対するユーザのタッチ位置を検出して、入力コントローラ１７に出力する。タッチセンサ３Ｂは、有機ＥＬディスプレイ３Ａの画面に表示される各種メニュー、アイコン、ボタン、およびキーボード等の画面オブジェクトを選択して入力操作を行ったり、テキストの入力操作や、スクロールやスワイプ等の画面操作を行うためのものである。
【００３３】
グラフィクスアダプタ１６は、制御部１０の制御に従って、表示情報をビデオ信号に変換し、変換したビデオ信号を有機ＥＬディスプレイ３Ａに出力する。
【００３４】
入力コントローラ１７は、プロセッサが記憶部１２等に格納されたプログラムを実行することにより各種処理を行い、タッチセンサ３Ｂの動作を制御する。
【００３５】
ここで、暗所や逆光で第１カメラ６Ａを用いて例えばユーザ自身を被写体として自撮りを行うと、図４に示すように、光量が不足し、被写体が暗く撮像される場合がある。このような場合、発光手段であるライトを点灯させて被写体を照らすことで被写体が暗く撮像されることを防ぐ。しかしながら、携帯電話端末１の正面２Ａにはライトが備えられていないため、被写体を照らすことができない。
【００３６】
そこで、本実施形態に係る携帯電話端末１は、画面発光モードを有する。
図５は、画面発光モードが機能している場合における携帯電話端末１の正面図である。
画面発光モードは、第１カメラ６Ａによって被写体を撮像する場合に画面（有機ＥＬディスプレイ３Ａ）の領域を、第１カメラ６Ａによって撮像された被写体を表示する撮像画像表示領域２０、及び被写体を照らす照明領域２１に分ける。
なお、本実施形態に係る携帯電話端末１は、画像表示手段として有機ＥＬディスプレイ３Ａを用いているため、照明領域２１に対応する有機ＥＬは、例えば輝度の高い白色光で発光するようにピクセル単位で制御される。
【００３７】
このように、照明領域２１は、画像を表示することなく、携帯電話端末１の正面２Ａに対向する被写体を照らすので、被写体の光量不足を解消できる。従って、携帯電話端末１は、正面２Ａにライトを備えることなく、撮像に適した光量を被写体に与えることができる。また、画面全体の輝度を高くして被写体を照らす場合に比べて、画面の一部を発光専用の照明領域２１をして被写体を照らす方が、消費電力が少ない。
【００３８】
また、照明領域２１は、撮像画像表示領域２０の周辺領域である。このため、照明領域２１は、ユーザによる被写体の撮影状態の確認を阻害することなく、被写体を照らすことができる。
【００３９】
さらに、照明領域２１は、被写体の明るさ（例えば輝度）が高くなるように、光量の制御が可能とされている。一例として、本実施形態に係る照明領域２１は、その範囲が増減されることで、光量が制御される。すなわち、本実施形態に係る照明領域２１は、被写体の明るさに応じてその範囲が動的に変化する。
【００４０】
図６は、照明領域２１の範囲の増減の例を示した図である。図６に示されるように、照明領域２１は、一例として４つの照明領域２１Ａ〜２１Ｄに分割される。そして、被写体の明度が低い程、多くの照明領域２１が発光する。
【００４１】
照明領域２１の光量は、図６（Ａ），（Ｂ），（Ｃ），（Ｄ）の順で増加している。これに伴い、撮像画像表示領域２０に表示される被写体の明るさも高くなる。
具体的には、図６（Ａ）に示される照明領域２１で発光する領域は、画面上部の照明領域２１Ａのみであり、画面の両側部及び下部は発光しない。
図６（Ｂ）に示される照明領域２１で発光する領域は、画面の上部及び下部の照明領域２１Ａ，２１Ｂであり、画面の両側部は発光しない。
図６（Ｃ）に示される照明領域２１で発光する領域は、画面の上部、下部及び両側部の照明領域２１Ａ〜２１Ｄ、すなわち全ての照明領域２１である。
図６（Ｄ）では、全ての照明領域２１が発光し、かつ図６（Ｃ）に示される照明領域２１に比べて、画面の内側に向けて広がっている。なお、これに伴い、撮像画像表示領域２０の範囲は小さくなっている。
【００４２】
図７は、画面発光モードに関する機能ブロック図である。
カメラ処理部１５は、画像診断部２２を備える。
画像診断部２２は、第１カメラ６Ａ又は第２カメラ６Ｂによって撮像された画像（以下「撮像画像」という。）が入力され、被写体が暗所又は逆光で撮像されているか否かを診断（判定）する。暗所又は逆光の判定は、従来既知の判定手法が適用されるが、例えば、暗所での撮像であるか否かは、撮像画像全体の輝度レベルに基づいて判定される。また、逆光での撮像であるか否かは、撮像画像を複数のエリアに分割して、各エリアの輝度レベルに基づいて判定される。
なお、撮像画像とは、タッチパネル３に表示される画像であって、シャッターボタンが押される等して記憶される前の画像（プレビュー画像）である。また、撮像画像は、通信部１３を介して、他の情報処理装置へ送信されてもよい。
【００４３】
制御部１０は、画像診断部２２による判定結果が入力されると、起動させているカメラアプリケーション２３によって判定結果に応じた制御を行う。
【００４４】
第２カメラ６Ｂによる撮像画像が、暗所又は逆光で撮像されていると判定された場合、カメラアプリケーション２３は、フラッシュ機能をオンとし、写真撮影のためにシャッターボタンが押されるとライト８を瞬間的に発光させる。
【００４５】
一方、第１カメラ６Ａによる撮像画像が、暗所又は逆光で撮像されていると判定された場合、カメラアプリケーション２３は、画面発光モードを機能させ、画面を撮像画像表示領域２０と照明領域２１とに分ける。
換言すると、カメラアプリケーション２３は、フラッシュ機能をオンとする必要があるほど、第２カメラ６Ｂによる撮像画像の明るさが低い場合に、画面発光モードを機能させ、照明領域２１をフラッシュライトの替わりとする。
また、カメラアプリケーション２３は、撮像画像の明るさに応じて、照明領域２１の範囲を増減させ、照明領域２１が発する光量を制御することで、被写体の明るさを最適化する。このため、カメラアプリケーション２３は、画面発光モードが機能している間、照明領域２１を継続して発光させる。
【００４６】
図８は、画面発光モードによる照明領域増減処理の流れを示すフローチャートである。画面発光モードが機能している場合、第２カメラ６Ｂは、被写体を撮像し続け、カメラ処理部１５は所定のフレームレートで撮像画像を生成し、タッチパネル３は撮像画像を更新表示している。
【００４７】
なお、画面発光モードは、ユーザによって本機能がオンとなるように予め設定されている場合に機能する。
また、画像診断部２２は顔認識機能を有し、画面発光モードは、画像診断部２２によって撮像画像の中心領域に人の顔が含まれると判定された場合に機能するとしてもよい。さらに、撮像画像全体の明るさが低く、画像診断部２２によって撮像画像の中心領域に人の顔を含まれているか否か判定できない場合、カメラアプリケーション２３は、瞬間的に照明領域２１を発光させ、その発光させた状態の撮像画像に基づいて画像診断部２２が顔認識を行ってもよい。
【００４８】
まず、ステップ１００では、撮像画像に対して画像診断部２２が画像診断を行う。
【００４９】
次のステップ１０２では、撮像画像の明るさが第１所定値以上であるか否かを判定し、肯定判定の場合はステップ１００へ戻り、否定判定の場合はステップ１０４へ移行する。ここでいう、撮像画像の明るさとは、例えば、撮像画像全体の明るさの平均値、又は撮像画像の中心領域等の予め定められた代表領域の明るさである。
第１所定値とは、換言すると、フラッシュ機能がオンとされる基準値である。すなわち、撮像画像の明るさがフラッシュ撮影を必要とするほど低い場合に、後述のように照明領域２１が発光する。
なお、ステップ１０２において肯定判定となる場合とは、被写体の明るさ十分であり、照明領域２１の発光が不要な場合である。
【００５０】
ステップ１０４では、画面を撮像画像表示領域２０と照明領域２１とに分け、被写体の明るさが第１所定値を超えるように所定の照明領域２１を発光させる。
例えば、ステップ１０４では、判定された撮像画像の明るさと第１所定値との差に基づいて、発光させる照明領域２１の範囲を決定し、照明領域２１を発光させる。すなわち、判定された撮像画像の明るさと第１所定値との差が大きい程、より広い範囲の照明領域２１が発光する。より具体的には、例えば、撮像画像の明るさと第１所定値との差に応じて、発光させる照明領域２１の範囲が予め定められている。
【００５１】
次のステップ１０６では、照明領域２１を発光させた状態の撮像画像に対して、画像診断部２２が画像診断を行う。
【００５２】
次のステップ１０８では、撮像画像の明るさが第１所定値以上であるか否かを判定し、肯定判定の場合はステップ１１２へ移行し、否定判定の場合はステップ１１０へ移行する。
【００５３】
ステップ１１０では、発光させる照明領域２１を増加させて、ステップ１０６へ戻る。
【００５４】
ステップ１１２では、撮像画像の明るさが第２所定値以上であるか否かを判定し、肯定判定の場合はステップ１１４へ移行し、否定判定の場合はステップ１０６へ戻る。
ステップ１１２において肯定判定の場合、すなわち、撮像画像の明るさが第２所定値以上の場合とは、被写体の明るさが高過ぎることを示しており、照明領域２１が過度に発光している場合である。一方、ステップ１１２において否定判定の場合は、撮像画像の明るさが適している場合であり、ステップ１０６へ戻ることで、照明領域２１の発光が継続することとなる。
【００５５】
ステップ１１４では、発光させる照明領域２１を減少させて、ステップ１０６へ戻る。
【００５６】
このように、携帯電話端末１は、画面発光モードを機能させることで、正面２Ａにライトを備えることなく、撮像に適した光量を被写体に与えることができる。なお、画面発光モードにおいて撮像画像は、タッチパネル３に随時、更新して表示される。このため、ユーザは、タッチパネル３に表示される撮像画像を確認しながら、写真撮影、動画撮影、又は撮像画像の送信等を適宜行える。
【００５７】
また、照明領域２１の発光に加えて、撮像画像に対して画像処理による補正を行い、撮像画像の明度をより高くしてもよい。
さらに、本実施形態に係る画面発光モードでは、撮影画像の明るさを輝度で判定したが、これに限らず、他の基準（例えば明度や彩度）によって判定されてもよい。また、撮像画像の明るさは、撮像画像の中心領域と周辺領域の明るさの差によって判定されてもよい。
【００５８】
次に、第１カメラ６Ａによって撮像された被写体の色調（色合い）が変化するように照明領域２１の発光色を制御する色調調整モードについて説明する。被写体の色調とは、例えば、被写体の彩度、色温度、ホワイトバランス等である。色調調整モードでは、制御部１０が、分割された照明領域２１Ａ〜２１Ｄ毎に発光色を制御する。
なお、以下の説明において、照明領域２１Ａ〜２１Ｄ各々を単に「ブロック」という。また、照明領域２１の上記分割は、一例であり、照明領域２１は分割されなくてもよい。
【００５９】
色調調整モードは、ユーザの設定により機能する。ユーザは、照明領域２１のブロック毎に、例えば、赤色、オレンジ色、黄色、緑色、水色、青色、紫色、及び白色の何れかを選択する。これにより、ユーザは、ブロック毎の発光色を組み合わせることによって、所望の色調を得られる。また、照明領域２１のブロック毎に、発光色と共に輝度を変化させてもよい。さらに、ブロックの幅や高さも調整可能としてもよい。
なお、発光色の組み合わせパターンは予め複数記憶されており、ユーザは、複数のパターンから所望のパターンを選択するとしてもよい。
【００６０】
制御部１０は、選択された色に応じて、照明領域２１のブロック毎に発光色を制御する。具体的には、カメラアプリケーション２３が、ユーザの設定に応じて色調調整モードを機能させ、画面を撮像画像表示領域２０と照明領域２１とに分ける。そして、カメラアプリケーション２３は、色調調整モードが機能している間、照明領域２１を設定された色によって継続して発光させる。
【００６１】
図９は、色調調整モードが機能している場合における携帯電話端末１の正面図の一例である。
図９の例では、照明領域２１Ａ，２１Ｂは白色に発光する一方、照明領域２１Ｃ，２１Ｄはオレンジ色又は黄色に発光する。これにより、被写体の肌の色を温かみのある色調に強調することができる。
また、例えば、被写体に空が含まれ、空の青さを強調したい場合には、照明領域２１Ａを青色で発光させる。
【００６２】
色調調整モードにおいて撮像画像は、タッチパネル３に随時、更新して表示される。このため、ユーザは、タッチパネル３に表示される撮像画像を確認しながら、写真撮影、動画撮影、又は撮像画像の送信等を適宜行える。
【００６３】
このように、携帯電話端末１は、色調調整モードを機能させることで、ユーザが所望するように、撮影画像の色調を変化させることができる。
【００６４】
〔第２実施形態〕
以下、本発明の第２実施形態について説明する。
【００６５】
なお、本実施形態に係る携帯電話端末１の構成は、図１，２に示す第１実施形態に係る携帯電話端末１の構成と同様であるので説明を省略する。
【００６６】
図１０は、本実施形態に係る携帯電話端末１の電気的構成を示す機能ブロック図である。なお、図１０における図３と同一の構成部分については図３と同一の符号を付して、その説明を省略する。
【００６７】
本実施形態に係るタッチパネル３は、液晶パネル３Ｃ及びバックライト３Ｄを備えた液晶ディスプレイとされる。
液晶パネル３Ｃは、グラフィクスアダプタ１６から出力されるビデオ信号に基づいて画像を表示する。
バックライト３Ｄは、制御部１０によって輝度が制御される。
【００６８】
本実施形態に係る制御部１０は、画面発光モードにおいて、照明領域２１の対応するバックライト３Ｄの輝度を制御する。
このため、本実施形態に係るバックライト３Ｄは、図１１の破線で示されるように、複数に分割され、分割されたバックライト３Ｄ毎に輝度を制御可能とされている。図１１の例では、バックライト３Ｄは、縦及び横のマトリクス状に分割されている。
そして、本実施形態に係る画面発光モードでは、発光させる照明領域２１を例えば白色とすると共に、照明領域２１に対応するバックライト３Ｄの分割領域の輝度を高くする。
【００６９】
以上、本発明を、上記各実施形態を用いて説明したが、本発明の技術的範囲は上記実施形態に記載の範囲には限定されない。発明の要旨を逸脱しない範囲で上記各実施形態に多様な変更又は改良を加えることができ、該変更又は改良を加えた形態も本発明の技術的範囲に含まれる。また、上記各実施形態を適宜組み合わせてもよい。    
【００７０】
例えば、上記各実施形態では、本発明を適用する情報処理装置の一例として携帯電話端末１とする形態について説明したが、本発明は、これに限定されるものではなく、被写体を撮像する撮像手段及び画面に画像を表示する画像表示手段を備えていれば、本発明を適用する情報処理装置を、タブレット型パーソナルコンピュータ、ＰＤＡ（Personal  Digital  Assistance）等、他の携帯型の情報処理装置、又は、デスクトップ型パーソナルコンピュータ等の非携帯型の情報処理装置とする形態としてもよい。
【００７１】
また、上記各実施形態では、撮像手段が情報処理装置に内蔵されている形態について説明したが、本発明は、これに限定されるものではなく、撮像手段が情報処理装置に外付けされる形態としてもよい。
【００７２】
また、上記各実施形態では、照明領域２１の光量を増減させるために、照明領域２１の範囲を増減させる形態について説明したが、本発明は、これに限定されるものではなく、照明領域２１の光量を増減させるために、照明領域２１の範囲を変えずに照明領域２１の輝度（有機ＥＬの輝度やバックライト３Ｄの輝度）のみを増減させることで形態としてもよい。
【００７３】
また、上記各実施形態で説明した各種処理の流れも一例であり、本発明の主旨を逸脱しない範囲内において不要なステップを削除したり、新たなステップを追加したり、処理順序を入れ替えたりしてもよい。
【符号の説明】
【００７４】
１    携帯電話端末（情報処理装置）
３  タッチパネル（画像表示手段）
３Ａ  有機ＥＬディスプレイ
３Ｃ  液晶パネル
３Ｄ  バックライト
６Ａ  第１カメラ（撮像手段）
１０  制御部（制御手段）
２０  撮像画像表示領域
２１  照明領域
【図１】
2017130887.tif 000003
【図２】
2017130887.tif 000004
【図３】
2017130887.tif 000005
【図４】
2017130887.tif 000006
【図５】
2017130887.tif 000007
【図６】
2017130887.tif 000008
【図７】
2017130887.tif 000009
【図８】
2017130887.tif 000010
【図９】
2017130887.tif 000011
【図１０】
2017130887.tif 000012
【図１１】
2017130887.tif 000013